(57)【要約】【課題】プリント基板との接合強度を向上させる電子素子用台座を提供する。【解決手段】電気絶縁部材からなる台座本体２１と、該台座本体２１に設けられて該台座本体２１に装着される電子素子１０のリード線１２に電気的に接続される導電性部材からなる金属端子２３と、を備え、該台座本体２１から露出した該金属端子２３の一部をプリント基板３０の回路パターンに半田付けすることにより該回路パターンとリード線１２とを電気的に接続させて該プリント基板３０に表面実装される電子素子用台座において、金属端子２３は、前記回路パターンと併設するように台座本体２１の側壁から突出し、該突出した突出箇所の底面と台座本体２１の底面から露出した底面とが連続した平面になるように形成された平板部２３ｂを有し、金属端子２３の平板部２３ｂの突出箇所を、前記回路パターンに半田付けするようにしたことを特徴とする。【選択図】図１
2006108909.tif 000002
【特許請求の範囲】
【請求項１】
電気絶縁部材からなる台座本体と、該台座本体に設けられて該台座本体に装着される電子素子のリード線に電気的に接続される導電性部材からなる金属端子と、を備え、該台座本体から露出した該金属端子の一部をプリント基板の回路パターンに半田付けすることにより該回路パターンと該リード線とを電気的に接続させて該プリント基板に表面実装される電子素子用台座において、
前記金属端子は、前記回路パターンと併設するように該台座本体の側壁から突出し、該突出した突出箇所の底面と該台座本体の底面から露出した底面とが連続した平面になるように形成された平板部を有し、
前記金属端子の平板部の突出箇所を、前記回路パターンに半田付けするようにした
ことを特徴とする電子素子用台座。
【請求項２】
前記金属端子の平板部が、前記台座本体の底面から突出するように設けられていることを特徴とする請求項１に記載の電子素子用台座。
【請求項３】
前記台座本体の側面から突出した前記平板部の端面の少なくとも一部の表面が、めっき膜で覆われていることを特徴とする請求項１又は２に記載の電子素子用台座。
【発明の詳細な説明】
【技術分野】
【０００１】
本発明は、電子素子用台座に関し、より詳細には、電気絶縁部材からなる台座本体と、該台座本体に装着される電子素子のリード線に電気的に接続されると共に前記台座本体から露出する金属端子と、を備え、前記金属端子をプリント基板の回路パターンに半田付けすることにより電気的に接続させて前記プリント基板に表面実装される電子素子用台座に関するものである。
【背景技術】
【０００２】
電子機器には、周波数、時間の基準として圧電振動子、特に安価で高性能な水晶振動子等の電子素子が用いられている。そして、この電子素子が水晶振動子の場合、例えば、ベース部材に一対のリード線を植設してリード線の先端部に所定の形状に成形した水晶片を保持するようにしている。そして、ベースに金属カバーを被せてベースの外周縁部で半田付け、抵抗溶接等を行って気密に封止している。
【０００３】
このように水晶振動子は、容器が導電性を有するため、ベース部材から導出したリード線を、そのままプリント基板の表面の回路パターンに接続した場合、金属性の容器によって回路パターンを短絡させる等の事故が発生する可能性があったた。そのため、水晶振動子のベースを絶縁材料からなる台座に載置して、この台座の底面をプリント基板の回路パターンに半田付けすることにより表面実装されている。
【０００４】
また、従来の表面実装用の電子部品としては、プリント基板等に対して確実に固着することを可能とする技術思想が開示されている。該電子部品は、電気絶縁材料からなる台座本体と、該台座本体に装着される電子素子と、電子素子の導出部に電気的に接続されると共に台座本体側に折り曲げられる金属端子と、を備え、台座本体は、折り曲げられる金属端子に対応し、かつ、金属端子の幅員よりも所定の寸法だけ大きな幅員を有する溝部を設けている。そのため、金属端子をプリント基板等の表面に半田付けする際に、半田が金属端子と溝部との間に形成される隙間に沿って毛管現象を介して上昇し、確実な接合状態を得るようにしてきた。
【特許文献１】特開平６−８５１４６号公報
【発明の開示】
【発明が解決しようとする課題】
【０００５】
上述した電子部品にように導出部と金属端子との固着強度の向上が図られているが、しかしながら、上述した電子部品における金属端子は、台座本体側に折り曲げて台座本体に設けていることから、その折り曲げ箇所に微細なクラックが発生すると、その箇所に酸化皮膜が形成されてしまい、金属端子をプリント基板の回路パターンに半田付けする際に半田がはじかれて台座本体とプリント基板との接合強度を低下させてしまうという問題があった。そのため、金属端子の半田濡れ性の向上を図っても、台座本体とプリント基板との接合強度を向上させることは困難であった。
【０００６】
よって本発明は、上述した問題点に鑑み、プリント基板との接合強度を向上させることができる電子素子用台座を提供することを課題としている。
【課題を解決するための手段】
【０００７】
上記課題を解決するため本発明によりなされた請求項１記載の電子素子用台座は、電気絶縁部材からなる台座本体と、該台座本体に設けられて該台座本体に装着される電子素子のリード線に電気的に接続される導電性部材からなる金属端子と、を備え、該台座本体から露出した該金属端子の一部をプリント基板の回路パターンに半田付けすることにより該回路パターンと該リード線とを電気的に接続させて該プリント基板に表面実装される電子素子用台座において、前記金属端子は、前記回路パターンと併設するように該台座本体の側壁から突出し、該突出した突出箇所の底面と該台座本体の底面から露出した底面とが連続した平面になるように形成された平板部を有し、前記金属端子の平板部の突出箇所を、前記回路パターンに半田付けするようにしたことを特徴とする。
【０００８】
上記請求項１に記載した本発明の電子素子用台座によれば、プリント基板の回路パターンと併設するように該台座本体の側壁から突出し、該突出した突出箇所の底面と該台座本体の底面から露出した底面とが連続した平面になるように形成された平板部が金属端子に形成される。そして、台座本体に電子素子が装着されると、電子素子のリード線が金属端子に電気的に接続される。そして、突出した金属端子の平板部をプリント基板の回路パターンに合わせて電子素子用台座がプリント基板上に配置され、平板部が回路パターンに半田付けされて電子素子用台座はプリント基板の表面に実装される。
【０００９】
上記課題を解決するためになされた請求項２記載の発明は、請求項１に記載の電子素子用台座において、前記金属端子の平板部が、前記台座本体の底面から突出するように設けられていることを特徴とする。
【００１０】
上記請求項２に記載した本発明の電子素子用台座によれば、金属端子の平板部は、台座本体の底面から突出し、かつ、台座本体の側面から突出するように台座本体に設けられる、そして、台座本体から突出する平板部が回路パターンに半田付けされて電子素子用台座はプリント基板の表面に実装される。
【００１１】
上記課題を解決するためになされた請求項３記載の発明は、請求項１又は２に記載の電子素子用台座において、前記台座本体の側面から突出した前記平板部の端面の少なくとも一部の表面が、めっき膜で覆われていることを特徴とする。
【００１２】
上記請求項３に記載した本発明の電子素子用台座によれば、金属端子は平板部の端面の少なくとも一部の表面にめっき膜が形成され、該端面が台座本体の側面から突出するように金属端子が台座本体に設けられる。
【発明の効果】
【００１３】
以上説明したように請求項１に記載した本発明の電子素子用台座によれば、金属端子に形成した平らな平板部が、基台本体の底面から露出してその基台本体の側面から突出するように基台本体に金属端子を設け、その平板部の突出箇所をプリント基板の回路パターンに半田付けするようにしたことから、プリント基板に半田付けする金属端子には折り曲げ箇所が存在しなくなり、クラックの発生を防止することができるため、金属端子の平板部に半田を確実に濡れ上がらせることが可能となり、プリント基板との接合強度を向上させることができる。
【００１４】
請求項２に記載の発明によれば、請求項１に記載の発明の効果に加え、金属端子の平板部が基台本体の底面から突出するように金属端子を基台本体に設けるようにしたことから、金属端子が回路パターンと半田によって接合される接合箇所を多くすることができるため、金属端子の接合強度をより一層向上させることができる。
【００１５】
請求項３に記載の発明によれば、請求項１又は２に記載の発明の効果に加え、金属端子は平板部の端面の少なくとも一部にめっき膜を形成するようにしたことから、金属端子の平板部の端面が切断面になっている場合でも、その端面から確実に半田を濡れ上がらせることができるため、半田濡れ性を向上させることができ、プリント基板との接合強度をより一層向上させることができる。
【発明を実施するための最良の形態】
【００１６】
以下、本発明に係る電子素子用台座を用いた電子部品の一実施の形態を、図１〜図５の図面を参照して説明する。
【００１７】
ここで、図１は本発明の電子素子用台座の概略構成を説明するための図であり、図２は図１の電子素子用台座の状面図であり、図３は図２の直線Ａ−Ａを通る矢印方向の断面を示す断面図であり、図４は金属端子の製造の一例を説明するための図であり、図５は図３の部分Ｂの端面を拡大した拡大図である。
【００１８】
電子部品１は、図１〜３に示すように、電子素子である水晶振動子１０と、該水晶振動子１０が装着される本発明の電子素子用台座２０と、を備える。そして、水晶振動子１０は、周知であるように、ベース部材１１に一対のリード線１２を植設し、リード線１２の先端部に所定の形状に成形した水晶片を保持している。そして、ベース部材１１に金属カバー１３を被せてベース部材１１の外周縁部で半田付け、抵抗溶接等を行って気密に封止している。
【００１９】
電子素子用台座２０は、略長方形の平板状に電気絶縁部材によって形成している台座本体１１と、該台座本体１１に装着される水晶振動子１０のリード線１２の各々を挿入する一対の貫通孔２２と、そのリード線１２に電気的に接続されると共に台座本体１１から一部が露出するように台座本体１１に埋設している金属端子２３と、を備える。
【００２０】
金属端子２３は、台座本体２１に装着される水晶振動子１０のリード線１２に電気的に接続する接続部２３ａと、プリント基板３０の回路パターンに半田付けされる平板部２３ｂと、接続部２３ａと平板部２３ｂとの間に介在する折り曲げ部２３ｃと、を備える。そして、金属端子２３の表面には、半田の濡れ性を高めるために、例えばＳｎ等からなるめっき膜を形成している。
【００２１】
接続部２３ａは、水晶振動子１０のリード線１２を挿入するための挿入孔２３ａ１を、その中央部付近に形成している。この挿入孔２３ａ１は、水晶振動子１０のリード線１２の挿入方向に対してテーパ状に形成している。そして、挿入孔２３ａ１にリード線１２が挿入されると、半田付けによって電気的に接続される。
【００２２】
平板部２３ｂは、前記回路パターンと併設するように該台座本体２１の側壁２５から突出し、該突出した突出箇所の底面と該台座本体２１の底面２４から露出した底面とが連続した平面になるように形成されて、インサート成形等により台座本体２１に埋設している。そして、金属端子２３の平板部２３ｂの突出箇所を、前記回路パターンに半田付けするようにしたことで、プリント基板３０に半田付けする金属端子２３に折り曲げ箇所がなくなり、クラックの発生を防止するようにした。
【００２３】
なお、本最良の形態では、平板部２３ｂの長手方向の長さが１１ｍｍのときに、平板部２３ｂの端部２３ｂ１が０．２ｍｍだけ突出するように形成しているが、本発明はこれに限定するものではなく、その長さは製品の仕様等に応じて種々異なる形態とすることができる。
【００２４】
また、金属端子２３の平板部２３ｂが、基台本体２１の底面２４から突出するように金属端子２３を基台本体２１に設けることで、金属端子２３が前記回路パターンと半田によって接合される接合箇所を多くし、金属端子２３とプリント基板３０との接合強度を向上させている。
【００２５】
ここで、金属端子２３の製造方法の一例を説明する。本最良の形態では、図４に示すように、燐青銅等の金属部材からなるプレート部材４０から余分な領域をプレス加工等によって打ち抜くことで、プレート部材４０のフレーム部４１から連設する複数の金属端子２３を形成する。また、フレーム４１と金属端子２３との連設部４２には、円形状の穴部４３を形成している。
【００２６】
そして、少なくとも金属端子２３の表面に前記めっき膜を、予め定められた所定の厚さで形成している。その後、穴部４３を約二等分するように連結部４２で切断されることで、複数の金属端子２３が形成される。このように形成した金属端子２３における平板部２３ｂの端部２３ｂ１の端面２３ｂ２は、図５に示すように、穴部４３の内壁の一部であり、めっき膜が形成された断面が円弧状のめっき面２３ｂ２１と、該めっき面２３ｂ２１を挟み、めっき膜が形成されていない切断面２３ｂ２２と、を有する構成となっている。
【００２７】
なお、本最良の形態では、金属端子２３の平板部２３ｂをプレート部材４０のフレーム部４１から切断して成形する場合について説明するが、本発明はこれに限定するものではなく、切断後の端面２３ｂ２にめっき膜を形成したり、また、切断しないで製造する場合は、その端面２３ｂ２の全てにめっき膜を形成するなど種々異なる形態とすることができる。
【００２８】
次に、上述した構成の電子素子用台座２０の組み付けについて説明する。まず、水晶振動子１０のリード線１２を、台座本体２１の金属端子２３の挿入孔２３ａ１に挿入させながら水晶振動子１０を台座本体２１に装着し、半田付け等によって電気的に接続される。そして、電子素子用台座２０は、突出した金属端子２０の平板部２３ｂがプリント基板３０の回路パターンに合わせて電子素子用台座２０がプリント基板３０上に配置され、その状態で平板部２３ｂが回路パターンに半田付けされることで、台座本体２１の側面２５から突出した金属端子２３の平板部２３ｂに半田が濡れ上がり、電子素子用台座２０はプリント基板３０の表面に実装される。その結果、金属端子２３を介して水晶振動子１０のリード線１２とプリント基板３０とが電気的に接続されることになる。
【００２９】
以上説明したように本発明の電子素子用台座２０によれば、金属端子２３に形成した平らな平板部２３ｂが、基台本体２１の底面２４から露出してその基台本体２１の側面２５から突出するように基台本体２１に金属端子２３を設け、その平板部２３ｂの突出箇所をプリント基板３０の回路パターンに半田付けするようにしたことから、プリント基板３０に半田付けする金属端子２３には折り曲げ箇所が存在しなくなり、クラックの発生を防止することができるため、金属端子２３の平板部２３ｂに半田を確実に濡れ上がらせることが可能となり、プリント基板３０との接合強度を向上させることができる。
【００３０】
また、金属端子２３の平板部２３ｂが基台本体２１の底面２４から突出するように金属端子２３を基台本体２１に設けるようにしたことから、金属端子２３がプリント基板３０の回路パターンと半田によって接合される接合箇所を多くすることができるため、金属端子２３の接合強度をより一層向上させることができる。
【００３１】
さらに、金属端子２３は平板部２３ｂの端面２３ｂ２の少なくとも一部にめっき膜を形成するようにしたことから、その端面２３ｂ２が切断面になっている場合でも、その端面２３ｂ２から確実に半田を濡れ上がらせることができるため、半田濡れ性を向上させることができ、プリント基板３０との接合強度をより一層向上させることができる。
【図面の簡単な説明】
【００３２】
【図１】本発明の電子素子用台座の概略構成を説明するための図である。
【図２】図１の電子素子用台座の状面図である。
【図３】図２の直線Ａ−Ａを通る矢印方向の断面を示す断面図である。
【図４】金属端子の製造の一例を説明するための図である。
【図５】図３の部分Ｂの端面を拡大した拡大図である。
【符号の説明】
【００３３】
１    電子部品
１０    水晶振動子（電子素子）
１２    リード線
２０    電子素子用台座
２１    台座本体
２３    金属端子
２３ｂ    平板部
３０    プリント基板
【図１】
2006108909.tif 000003
【図２】
2006108909.tif 000004
【図３】
2006108909.tif 000005
【図４】
2006108909.tif 000006
【図５】
2006108909.tif 000007